(57)【要約】【課題】  企業等の入退場口にゲートを設置し、金属物検出手段で資産の持ち出しをチェックすると、資産の正当な持ち出し者にとっては、金属物検出手段で反応することがわかっているにもかかわらず、金属物検出手段が反応して警報音を鳴動したりするため不快であり、金属物検出手段の管理者にとっては、資産の正当な持ち出し者の所持品を検査することになり、非効率である。【解決手段】  事前申請用端末１０１に、持ち出し資産情報を入力すると、資産持ち出し管理サーバ３０１が、資産に付随している情報記憶手段４０２が記憶している資産情報と持ち出し資産情報とが合致するか否かを判定し、資産情報と持ち出し資産情報とが合致すると判定すると、資産検出手段２０１に、検出を行わないことを指示する情報を送信する。すると、資産検出手段２０１は、一定時間資産の検出を停止する。【選択図】  図１
2006092431.tif 000002
【特許請求の範囲】
【請求項１】
資産に付随し、前記資産を識別する情報である資産情報を記憶する資産情報記憶手段と、
前記資産情報記憶手段が記憶している前記資産情報を読み出す情報読み出し手段と、
資産である可能性がある物品を検出し、前記物品を検出すると前記物品を検出したことを報知する資産検出手段と、
前記情報読み出し手段が読み出した前記資産情報に応じて、前記資産検出手段の動作を制限する資産管理手段とを備えた
ことを特徴とする資産管理システム。
【請求項２】
資産管理手段は、情報読み出し手段が資産情報記憶手段から資産情報を読み出すと、資産検出手段にによる資産である可能性がある物品の検出を一定時間停止させるか、または資産である可能性がある物品を検出したことの報知を所定の時間禁止する
請求項１記載の資産管理システム。
【請求項３】
持ち出す資産の情報である持ち出し資産情報が入力されると、前記持ち出し資産情報を資産管理手段に送信する事前申請入力手段を含み、
前記資産管理手段は、情報読み出し手段が読み出した資産情報が、前記事前申請入力手段から受信した前記持ち出し資産情報と合致すると、資産検出手段による資産である可能性がある物品の検出を一定時間停止させるか、または資産である可能性がある物品を検出したことの報知を所定の時間禁止する
請求項２記載の資産管理システム。
【請求項４】
資産管理手段は、資産検出手段が資産である可能性がある物品を検出したことを報知しているときに情報読み出し手段が資産情報記憶手段から資産情報を読み出すと、前記資産検出手段に、資産である可能性がある物品を検出したことの報知を所定の時間停止させる
請求項１記載の資産管理システム。
【請求項５】
持ち出す資産の情報である持ち出し資産情報が入力されると、前記持ち出し資産情報を資産管理手段に送信する事前申請入力手段を含み、
前記資産管理手段は、資産検出手段が資産である可能性がある物品を検出したことを報知しているときに情報読み出し手段が読み出した資産情報が、前記事前申請入力手段から受信した前記持ち出し資産情報と合致すると、前記資産検出手段に、資産である可能性がある物品を検出したことの報知を所定の時間停止させる
請求項４記載の資産管理システム。
【請求項６】
人物を識別する情報である個人情報を記憶する個人情報記憶手段を含み、
情報読み出し手段は、前記個人情報記憶手段が記憶している前記個人情報を読み出し、
資産管理手段は、前記情報読み出し手段が読み出した前記個人情報と、資産情報とを対応づけて記憶する
請求項１から請求項５のうちいずれか１項記載の資産管理システム。
【請求項７】
資産検出手段は、金属物検出機である
請求項１から請求項６のうちいずれか１項記載の資産管理システム。
【請求項８】
資産検出手段は、Ｘ線検査装置である
請求項１から請求項６のうちいずれか１項記載の資産管理システム。
【請求項９】
資産情報記憶手段は、ＩＣタグであり、
資産検出手段は、ＩＣタグ検出手段である
請求項１から請求項６のうちいずれか１項記載の資産管理システム。
【請求項１０】
持ち出す資産の情報である持ち出し資産情報を入力し、
資産を識別する情報である資産情報を記憶し、
資産である可能性がある物品を検出するとその旨を報知し、
記憶している前記資産情報を読み出し、
読み出した前記資産情報が、入力した前記持ち出し資産情報と合致すると、資産である可能性がある物品の検出を一定時間停止させるか、または資産である可能性がある物品を検出したことの報知を所定の時間禁止する
ことを特徴とする資産管理方法。
【請求項１１】
持ち出す資産の情報である持ち出し資産情報を入力し、
資産を識別する情報である資産情報を記憶し、
記憶している前記資産情報を読み出し、
資産である可能性がある物品を検出し、資産である可能性がある物品を検出するとその旨を報知した後、読み出した前記資産情報が、入力した前記持ち出し資産情報と合致する場合には、資産である可能性がある物品を検出したことの報知を所定の時間停止する
ことを特徴とする資産管理方法。
【請求項１２】
資産に付随し、前記資産を識別する情報である資産情報を記憶する資産情報記憶手段から前記資産情報を読み出す情報読み出し手段が読み出した前記資産情報が、持ち出す資産の情報である持ち出し資産情報が入力されると前記持ち出し資産情報を送信する事前申請入力手段から受信した前記持ち出し資産情報と合致するか否かを判断する判断手段と、
前記判断手段が、前記資産情報と前記持ち出し資産情報とが合致すると判断すると、資産である可能性がある物品を検出するとその旨を報知する資産検出手段にによる検出を一定時間停止させるか、または資産検出手段による資産である可能性がある物品を検出したことの報知を所定の時間禁止する資産検出制限手段とを含む
ことを特徴とする資産管理サーバ。
【請求項１３】
コンピュータに、
資産に付随し、前記資産を識別する情報である資産情報を記憶する資産情報記憶手段から前記資産情報を読み出す情報読み出し手段が読み出した前記資産情報が、持ち出す資産の情報である持ち出し資産情報が入力されると前記持ち出し資産情報を送信する事前申請入力手段から受信した前記持ち出し資産情報と合致するか否かを判断させる判断処理と、
前記判断処理で、前記資産情報と前記持ち出し資産情報とが合致すると判断すると、資産である可能性がある物品を検出するとその旨を報知する資産検出手段による検出を一定時間停止させるか、または資産である可能性がある物品を検出したことの報知を所定の時間停止させる資産検出制限処理とを実行させる
ことを特徴とする資産管理プログラム。
【発明の詳細な説明】
【技術分野】
【０００１】
本発明は、資産の不正な持ち出しを防止する資産管理システム、資産管理方法、資産管理サーバおよび資産管理プログラムに関する。
【背景技術】
【０００２】
企業等において資産の不正な持ち出しを防止するために、企業等の入退場口に、金属物検出手段を備えたゲートを設置し、入退場口を通過するすべての人に対して、金属物検出手段で持ち出し物をチェックする。金属物検出手段は、金属物検出手段の検出範囲を通過する人が金属を含む物（以下、金属物という。）を所持していれば、金属物が企業等の資産であるか否かに関わらず反応し、警報音を鳴動したり、ランプを点灯したりする。金属物検出手段が反応した場合には、持ち出し物が、警備員等によって検査される。従って、金属物を所持している人は、金属物検出手段が金属物に反応するため、金属物検出手段の管理者に金属物を収納しているバッグ等の中身を検査されることになり、企業等の資産でない金属物を所持している人にとっては不快である。
【０００３】
また、金属物の企業等の資産の持ち出しを予め申請している資産の正当な持出者も、一般に金属物検出手段を備えたゲートを通過する。従って、ゲートにおける金属物検出手段が金属物に反応する。すなわち、資産の持ち出しを予め申請しているにも関わらず、金属物検出手段が反応して警報音を鳴動したりするため不快を与える。また、資産の持ち出しを予め申請している人が、金属物検出手段の検出範囲を通過することは無駄である。さらに、金属物検出手段の管理者にとっては、金属物の企業等の資産の持ち出しを予め申請している資産の正当な持出者の所持品を検査することになり、非効率である。
【０００４】
そこで、物品に付された非接触タグが記憶している情報を読み出し、不正な持ち出しであるか否かを判断するシステムが提案されている（例えば、特許文献１参照。）。
【０００５】
また、資産に付されている非接触タグが記憶している情報と、資産の持出者が所持している非接触型ＩＣカードが記憶している資産の持出者を認識する情報とを読み出し、資産の持出者が、その資産の持ち出しを許可されている者であるか否かを判断するシステムが提案されている（例えば、特許文献２参照。）。
【０００６】
【特許文献１】特開２００１−２６６２６１号公報（段落００１２〜００１８、図１）
【特許文献２】特開２００３−２９６５３３号公報（段落００３０〜００４５、図１）
【発明の開示】
【発明が解決しようとする課題】
【０００７】
しかし、特許文献１および特許文献２に記載されているシステムでは、何らかの方法で物品または資産に付されている非接触タグが取り外されると、物品または資産の持ち出しを検出することができず、そのような場合は、不正な物品または資産の持ち出しを防ぐことができない。
【０００８】
そこで、本発明は、企業等の資産の正当な持出者に不快な思いをさせることなく、不正な持ち出しを防ぐことができる資産管理システム、資産管理方法、資産管理サーバおよび資産管理プログラムを提供することを目的とする。
【課題を解決するための手段】
【０００９】
本発明による資産管理システムは、資産に付随し、資産を識別する情報である資産情報を記憶する資産情報記憶手段と、資産情報記憶手段が記憶している資産情報を読み出す情報読み出し手段と、資産である可能性がある物品を検出し、資産である可能性がある物品を検出すると資産である可能性がある物品を検出したことを報知する資産検出手段と、情報読み出し手段が読み出した資産情報に応じて、資産検出手段の動作を制限する資産管理手段とを備えたことを特徴とする。
【００１０】
資産管理手段は、情報読み出し手段が資産情報記憶手段から資産情報を読み出すと、資産検出手段に、資産である可能性がある物品の検出を一定時間停止させるか、または資産である可能性がある物品を検出したことの報知を所定の時間禁止してもよい。そのような構成によれば、資産情報記憶手段が付随している資産の持出者は、資産検出手段による報知に煩わされることなく資産を持ち出すことができる。
【００１１】
持ち出す資産の情報である持ち出し資産情報が入力されると、持ち出し資産情報を資産管理手段に送信する事前申請入力手段を含んでもよく、資産管理手段は、情報読み出し手段が読み出した資産情報が、事前申請入力手段から受信した持ち出し資産情報と合致すると、資産検出手段に、資産である可能性がある物品の検出を一定時間停止させる、または資産を検出したことの報知を所定の時間禁止してもよい。そのような構成によれば、事前申請入力手段に持ち出し資産情報を入力した資産の持出者は、資産検出手段が資産を検出したことを報知されることなく資産を持ち出すことができる。
【００１２】
資産管理手段は、資産検出手段が資産である可能性がある物品を検出したことを報知しているときに情報読み出し手段が資産情報記憶手段から資産情報を読み出すと、資産検出手段に、資産である可能性がある物品を検出したことの報知を所定の時間停止させてもよい。そのような構成によれば、情報読み出し手段が情報記憶手段が記憶している情報を読み出す前に、資産検出手段が資産である可能性がある物品を検出しても、資産である可能性がある物品を検出したことの報知を所定の時間停止させることができる。
【００１３】
持ち出す資産の情報である持ち出し資産情報が入力されると、持ち出し資産情報を資産管理手段に送信する事前申請入力手段を含んでもよく、資産管理手段は、資産検出手段が資産である可能性がある物品を検出したことを報知しているときに情報読み出し手段が読み出した資産情報が、事前申請入力手段から受信した持ち出し資産情報と合致すると、資産検出手段に、資産である可能性がある物品を検出したことの報知を所定の時間停止させてもよい。そのような構成によれば、情報読み出し手段が情報記憶手段が記憶している情報を読み出す前に、資産検出手段が資産を検出しても、報知を所定の時間停止させることができる。
【００１４】
人物を識別する情報である個人情報を記憶する個人情報記憶手段を含んでもよく、情報読み出し手段は、個人情報記憶手段が記憶している個人情報を読み出してもよく、資産管理手段は、情報読み出し手段が読み出した個人情報と、資産情報とを対応づけて記憶してもよい。そのような構成によれば、資産管理手段は、資産の持出者と持ち出された資産とを対応づけて記憶するため、資産の持ち出しを管理することができる。
【００１５】
資産検出手段は、金属物検出機であってもよいし、Ｘ線検査装置であってもよい。また、資産情報記憶手段は、ＩＣタグであってもよく、資産検出手段は、ＩＣタグ検出手段であってもよい。
【００１６】
本発明による資産管理方法は、持ち出す資産の情報である持ち出し資産情報を入力し、資産を識別する情報である資産情報を記憶し、資産である可能性がある物品を検出するとその旨を報知し、記憶している資産情報を読み出し、読み出した資産情報が、入力した持ち出し資産情報と合致すると、資産である可能性がある物品の検出を一定時間停止させるか、または所定の時間資産である可能性がある物品を検出したことの報知を禁止することを特徴とする。
【００１７】
本発明による他の態様の資産管理方法は、持ち出す資産の情報である持ち出し資産情報を入力し、資産を識別する情報である資産情報を記憶し、記憶している資産情報を読み出し、資産である可能性がある物品を検出し、資産である可能性がある物品を検出するとその旨を報知した後、読み出した資産情報が、入力した持ち出し資産情報と合致する場合には、資産である可能性がある物品を検出したことの報知を所定の時間停止することを特徴とする。
【００１８】
本発明による資産管理サーバは、資産に付随し、資産を識別する情報である資産情報を記憶する資産情報記憶手段から資産情報を読み出す情報読み出し手段が読み出した資産情報が、持ち出す資産の情報である持ち出し資産情報が入力されると持ち出し資産情報を送信する事前申請入力手段から受信した持ち出し資産情報と合致するか否かを判断する判断手段と、判断手段が、資産情報と持ち出し資産情報とが合致すると判断すると、資産である可能性がある物品を検出するとその旨を報知する資産検出手段にによる検出を一定時間停止させるか、または資産検出手段による資産である可能性がある物品を検出したことの報知を所定の時間禁止する資産検出制限手段とを含むことを特徴とする。
【００１９】
本発明による資産管理プログラムは、コンピュータに、資産に付随し、資産を識別する情報である資産情報を記憶する資産情報記憶手段から資産情報を読み出す情報読み出し手段が読み出した資産情報が、持ち出す資産の情報である持ち出し資産情報が入力されると持ち出し資産情報を送信する事前申請入力手段から受信した持ち出し資産情報と合致するか否かを判断させる判断処理と、判断処理で、資産情報と持ち出し資産情報とが合致すると判断すると、資産である可能性がある物品を検出するとその旨を報知する資産検出手段による検出を一定時間停止させるか、または資産を検出したことの報知を所定の時間停止させる資産検出制限処理とを実行させることを特徴とする。
【発明の効果】
【００２０】
本発明によれば、資産である可能性がある物品を検出する手段と、資産を識別する情報を記憶する手段と、資産を識別する情報に応じて資産である可能性がある物品を検出する手段を制限する手段とを用いて、企業等の資産の正当な持出者に不快な思いをさせることなく、不正な持ち出しを防ぐことができる。
【発明を実施するための最良の形態】
【００２１】
実施の形態１．
本発明の第１の実施の形態について、図面を参照して説明する。図１は、本発明の第１の実施の形態の一構成例を示す説明図である。
【００２２】
本発明の実施の形態は、資産の持出者が持ち出す資産を示す情報である持ち出し資産情報を入力し、資産の持ち出しを申請する事前申請用端末（事前申請入力手段）１０１、資産の持ち出しの申請を管理する事前申請管理サーバ１０２、資産の有無を検出する資産検出手段２０１、資産４０１に付随し、資産を識別する情報である資産情報を記憶する情報記憶手段（資産情報記憶手段）４０２、情報記憶手段４０２が記憶している資産情報を読み出す情報読み出し手段３０２、および情報読み出し手段３０２と資産検出手段２０１とを制御する資産持ち出し管理サーバ（資産管理手段、資産管理サーバ）３０１を含む。
【００２３】
資産検出手段２０１は、例えば、金属物検出機、Ｘ線検査装置またはＩＣタグ検出機等で実現され、資産である可能性がある物品を検出すると、付設されているベルで警報音を鳴動したり、付属しているランプを点灯したりして、資産である可能性がある物品を検出したことを報知する。資産検出手段２０１として金属物検出機が用いられる場合には、資産である可能性がある物品は金属物である。また、資産検出手段２０１としてＸ線検査装置が用いられる場合には、資産である可能性がある物品は、Ｘ線撮像画像に現れうる金属物などである。
【００２４】
なお、資産検出手段２０１として、金属物検出機、Ｘ線検査装置およびＩＣタグ検出機等のうちの２つ以上が併用されていてもよい。例えば、持出者の所持品（持ち出す資産を含む。）をＸ線検査装置に通過させ、持出者は金属物検出機を通過するようなシステム構成になっている場合には、資産検出手段２０１としてのＸ線検査装置および金属物検出機のいずれかが資産の存在を検出すると、Ｘ線検査装置または金属物検出機に付設されているベルで警報音を鳴動したり、付属しているランプを点灯したりする。また、資産検出手段２０１としてＸ線検査装置が用いられる場合には、Ｘ線検査装置によるＸ線撮像画像を視認する警備員等が手動によってベルを鳴動させたりランプを点灯させてもよいし、Ｘ線撮像画像について画像認識を行う画像認識装置を備えるようにして、画像認識装置が、Ｘ線撮像画像から何らかの物品の画像を認識した場合に自動的にベルを鳴動させたりランプを点灯させてもよい。また、資産検出手段２０１は、資産持ち出し管理サーバ３０１の制御に従って、一定時間資産である可能性がある物品の検出を停止したり、資産である可能性がある物品を検出しても所定の時間が経過するまで警報音の鳴動やランプの点灯を行わなかったりする。
【００２５】
情報記憶手段４０２は、例えば、ＲＦＩＤ（Ｒａｄｉｏ  Ｆｒｅｑｕｅｎｃｙ  ＩＤｅｎｔｉｆｉｃａｔｉｏｎ）タグや、バーコード（２次元バーコードを含む。）、非接触型ＩＣタグ等で実現される。情報読み出し手段３０２は、資産持ち出し管理サーバ３０１に接続され、例えば、ＲＦＩＤリーダや、バーコードリーダ、ＩＣタグリーダ等で実現される。
【００２６】
なお、情報記憶手段４０２が資産４０１に付随するとは、情報記憶手段４０２を資産４０１の表面に貼り付けたり、印刷したりするだけでなく、資産４０１に取り付けたり、資産４０１が内蔵したりする場合など、資産４０１に付属していることが明らかな状態をいう。そして、情報記憶手段４０２は、資産４０１において資産検出手段２０１が情報記憶手段４０２が記憶している情報を読みとることができる位置に付随している。図２は、情報記憶手段４０２が資産４０１に付随する形態の例を示す説明図である。図２（ａ）に示す例では、情報記憶手段４０２は、資産４０１の上部に付随している。図２（ｂ）に示す例では、情報記憶手段４０２は、リード線を介して資産４０１に付随している。図２（ｃ）に示す例では、情報記憶手段４０２は、資産４０１の下部に付随している。
【００２７】
事前申請用端末１０１、事前申請管理サーバ１０２、資産検出手段２０１、および資産持ち出し管理サーバ３０１は、ＬＡＮ等の通信ネットワーク５００を介して接続されている。なお、事前申請用端末１０１は、１台に限定するものではなく、複数台あってもよい。また、事前申請管理サーバ１０２および資産持ち出し管理サーバ３０１は、使用者の操作に従って、事前申請用端末１０１として動作してもよい。判断手段および資産検出制限手段は、資産持ち出し管理サーバ３０１に搭載されたＣＰＵによって実現される。
【００２８】
資産検出手段２０１は、例えば、企業等の建物等における入退場口等のように、人の入退場の管理が容易である場所に設置される。また、資産検出手段２０１は、１台に限定するものではなく、複数台あってもよい。なお、情報読み出し手段３０２は、資産検出手段２０１の近傍に設置されることが好ましい。
【００２９】
情報記憶手段４０２は、付随している資産４０１を識別する情報である資産情報を記憶している。資産４０１を識別する情報である資産情報とは、例えば、資産４０１の資産管理番号等である。
【００３０】
資産持ち出し管理サーバ３０１は、コンピュータに、資産に付随し、資産を識別する情報である資産情報を記憶する情報記憶手段４０２から資産情報を読み出す情報読み出し手段３０２が読み出した資産情報が、持ち出す資産を示す情報（持ち出す資産を特定するための情報）である持ち出し資産情報が入力されると持ち出し資産情報を送信する事前申請用端末１０１から受信した持ち出し資産情報と合致するか否かを判断させる判断処理と、判断処理で、資産情報と持ち出し資産情報とが合致すると判断すると、資産である可能性がある物品を検出し、資産である可能性がある物品を検出するとその旨を報知する資産検出手段２０１に、資産の検出を一定時間停止させるか、または資産である可能性がある物品を検出したことの報知を所定の時間停止させる資産検出制限処理とを実行させることを特徴とする資産管理プログラムを搭載している。持ち出し資産情報は、例えば、企業における固定資産番号などの資産管理番号である。
【００３１】
次に、本発明の第１の実施の形態の動作について図面を参照して説明する。図３は、本発明の第１の実施の形態の動作を説明するシーケンス図である。
【００３２】
資産４０１を持ち出す持出者は、事前申請用端末１０１を操作して、資産４０１の持ち出しの申請である事前申請を行う。具体的には、資産４０１を持ち出す持出者は、事前申請用端末１０１に持ち出す資産を示す持ち出し資産情報を入力する（ステップＳ１０１）。持ち出し資産情報は、資産４０１に付随している情報記憶手段４０２が記憶している資産情報と同じであってもよい。なお、事前申請管理サーバ１０２は、資産の持ち出しの申請を受け付けるＷｅｂページを記憶していてもよく、資産の持出者は、事前申請用端末１０１を操作して事前申請管理サーバ１０２に接続させ、事前申請管理サーバ１０２が記憶しているＷｅｂページを介して持ち出し資産情報を事前申請管理サーバ１０２に入力してもよい。
【００３３】
事前申請用端末１０１は、持出者が入力した持ち出し資産情報を事前申請管理サーバ１０２に送信する（ステップＳ１０２）。事前申請管理サーバ１０２は、受信した持ち出し資産情報を、資産持ち出し管理サーバ３０１に送信する（ステップＳ１０３）。
【００３４】
持出者は、資産４０１を持ち出す際に、入退場口等に設置されている情報読み出し手段３０２に、資産４０１に付随している情報記憶手段４０２が記憶している資産情報を読み出させる。具体的には、例えば、情報記憶手段４０２がＲＦＩＤタグであって、情報読み出し手段３０２がＲＦＩＤリーダであった場合、持出者は、情報記憶手段４０２を、情報読み出し手段３０２の読み出し可能距離まで近づける。すると、情報記憶手段４０２は、情報読み出し手段３０２であるＲＦＩＤリーダが出力した電磁波によって発電し、記憶している資産情報を無線で出力する。情報読み出し手段３０２は、情報記憶手段４０２が出力した情報を受信して読み出す。情報読み出し手段３０２は、情報記憶手段４０２が記憶している資産情報を読み出すと（ステップＳ１０４）、読み出した資産情報を資産持ち出し管理サーバ３０１に出力する（ステップＳ１０５）。
【００３５】
資産持ち出し管理サーバ３０１は、情報読み出し手段３０２が情報記憶手段４０２から読み出した資産情報と、事前申請管理サーバ１０２から受信した持ち出し資産情報とが合致するか否かを判断する（ステップＳ１０６）。
【００３６】
資産持ち出し管理サーバ３０１は、情報読み出し手段３０２が情報記憶手段４０２から読み出した資産情報と、事前申請管理サーバ１０２から受信した持ち出し資産情報とが合致すると判断すると、資産検出手段２０１に、検出を行わないことを指示する情報を送信する（ステップＳ１０７）。
【００３７】
資産検出手段２０１は、検出を行わないことを指示する情報を受信すると、一定時間資産である可能性がある物品の検出を停止する（ステップＳ１０８）。そして、持出者は、一定時間の間に資産検出手段２０１の検出範囲を通過して資産４０１を持ち出す。このとき、資産検出手段２０１は、資産である可能性がある物品の検出を行わない。また、資産検出手段２０１がゲートに設けられ、ゲートに通過遮断手段としてのバーなどが設けられている場合には、資産検出手段２０１は、バーを人が通過できる状態に制御するようにしてもよい。
【００３８】
また、資産検出手段２０１は、検出を行わないことを指示する情報を受信しなかったり、検出を行わないことを指示する情報を受信してから一定時間経過したりすると、資産である可能性がある物品の検出を行い、資産である可能性がある物品を検出すると警報音を鳴動したり、ランプを点灯したりして、資産である可能性がある物品を検出したことを報知する（ステップＳ１０９）。その場合、警備員等は、持出者が持ち出そうとする物品を検査して、資産が持ち出されることを阻止する。
【００３９】
以上に述べたように、この実施の形態によれば、情報読み出し手段３０２が読み出した情報記憶手段４０２が記憶している資産情報と、持出者が事前申請として事前申請用端末１０１に入力した持ち出し資産情報とが合致すると、資産検出手段２０１は、一定時間資産の検出を停止するため、事前申請が行われた資産４０１を持ち出す持出者は、資産検出手段２０１が警報音を鳴動したり、ランプを点灯したりすることなく資産４０１を持ち出すことができる。また、事前申請をせずに不正に資産を持ち出そうとすると、資産検出手段２０１が資産である可能性がある物品を検出して警報音を鳴動したり、ランプを点灯したりして資産の持ち出しを報知するため、不正な資産の持ち出しを防止することができる。
【００４０】
なお、資産検出手段２０１は、検出を行わないことを指示する情報を受信しても資産の検出を継続して、資産である可能性がある物品を検出すると行う報知の動作を所定の時間経過後に行ってもよい。すると、事前申請が行われた資産４０１を持ち出す持出者は、所定の時間内に資産４０１を持ち出せば、資産検出手段２０１が警報音を鳴動したり、ランプを点灯したりすることなく資産４０１を持ち出すことができる。
【００４１】
なお、資産持ち出し管理サーバ３０１は、情報記憶手段４０２から資産情報が読み出されると、資産検出手段２０１に、資産である可能性がある物品を検出したことの報知を禁止することを指示する情報を送信してもよい。その場合、資産検出手段２０１は、資産である可能性がある物品の検出を停止しないが、資産である可能性がある物品を検出しても、所定の時間が経過するまで警報音の鳴動やランプの点灯を行わない。よって、情報記憶手段４０２が付随している資産４０１を持ち出す持ち出し者は、資産検出手段２０１による警報音やランプを点灯に煩わされることなく資産４０１を持ち出すことができる。
【００４２】
実施の形態２．
本発明の第２の実施の形態について説明する。本発明の第２の実施の形態の構成は、第１の実施の形態の構成と同様なため、各端末等に図１と同じ符号を付し、説明を省略する。
【００４３】
本発明の第２の実施の形態の動作について図面を参照して説明する。図４は、本発明の第２の実施の形態の動作を説明するシーケンス図である。
【００４４】
資産４０１を持ち出す持出者は、事前申請用端末１０１を操作して、資産４０１の持ち出しの申請である事前申請を行う。具体的には、資産４０１を持ち出す持出者は、事前申請用端末１０１に持ち出す資産を識別する情報である持ち出し資産情報を入力する（ステップＳ２０１）。持ち出し資産情報は、例えば、資産管理番号等であり、資産４０１に付随している情報記憶手段４０２が記憶している資産情報と同じであってよい。なお、事前申請管理サーバ１０２は、資産の持ち出しの申請を受け付けるＷｅｂページを記憶していてもよく、資産の持出者は、事前申請用端末１０１を操作して事前申請管理サーバ１０２に接続させ、事前申請管理サーバ１０２が記憶しているＷｅｂページを介して持ち出し資産情報を事前申請管理サーバ１０２に入力してもよい。
【００４５】
すると、事前申請用端末１０１は、持出者が入力した持ち出し資産情報を事前申請管理サーバ１０２に送信する（ステップＳ２０２）。事前申請管理サーバ１０２は、受信した持ち出し資産情報を、資産持ち出し管理サーバ３０１に送信する（ステップＳ２０３）。
【００４６】
入退場口等に設置されている資産検出手段２０１は、持出者が資産４０１を持ち出す際に、資産である可能性がある物品の存在を検出して、警報音を鳴動したり、ランプを点灯したりして、資産である可能性がある物品を検出したことを報知する（ステップＳ２０４）。
【００４７】
持出者は、情報読み出し手段３０２に、資産４０１に付随している情報記憶手段４０２が記憶している資産情報を読み出させる。具体的には、例えば、情報記憶手段４０２がＲＦＩＤタグであって、情報読み出し手段３０２がＲＦＩＤリーダであった場合、持出者は、情報記憶手段４０２を、情報読み出し手段３０２の読み出し可能距離まで近づける。すると、情報記憶手段４０２は、情報読み出し手段３０２であるＲＦＩＤリーダが出力した電磁波によって発電し、記憶している資産情報を無線で出力する。なお、持出者が情報記憶手段４０２をＲＦＩＤリーダの読み出し可能距離まで近づけるのではなく、警備員等がＲＦＩＤリーダを情報記憶手段４０２に近づけるようにしてもよい。情報読み出し手段３０２は、情報記憶手段４０２が出力した情報を受信して読み出す。情報読み出し手段３０２は、情報記憶手段４０２が記憶している資産情報を読み出すと（ステップＳ２０５）、読み出した資産情報を資産持ち出し管理サーバ３０１に出力する（ステップＳ２０６）。
【００４８】
資産持ち出し管理サーバ３０１は、情報読み出し手段３０２が情報記憶手段４０２から読み出した資産情報と、事前申請管理サーバ１０２から受信した持ち出し資産情報とが合致するか否かを判断する（ステップＳ２０７）。
【００４９】
資産持ち出し管理サーバ３０１は、情報読み出し手段３０２が情報記憶手段４０２から読み出した資産情報と、事前申請管理サーバ１０２から受信した持ち出し資産情報とが合致すると判断すると、資産検出手段２０１に、資産である可能性がある物品を検出したことの報知の停止を指示する情報を送信する（ステップＳ２０８）。
【００５０】
資産検出手段２０１は、資産である可能性がある物品を検出したことの報知の停止を指示する情報を受信すると、所定の時間、資産である可能性がある物品を検出したことの報知を停止する（ステップＳ２０９）。そして、持出者は、所定の時間の間に資産検出手段２０１の検出範囲を通過して資産４０１を持ち出す。資産検出手段２０１がゲートに設けられ、ゲートに通過遮断手段としてのバーなどが設けられている場合には、資産検出手段２０１は、所定の時間、バーを人が通過できる状態に制御するようにしてもよい。なお、資産検出手段２０１は、資産である可能性がある物品を検出したことの報知の停止を指示する情報を受信するまで、資産である可能性がある物品を検出したことの報知を継続する。また、資産検出手段２０１は、資産である可能性がある物品を検出したことの報知の停止を指示する情報を受信してから所定の時間が経過すると、資産である可能性がある物品を検出したことの報知を再開する（ステップＳ２１０）。
【００５１】
以上に述べたように、この実施の形態によれば、資産検出手段２０１が資産である可能性がある物品を検出して、資産である可能性がある物品を検出したことを報知する動作を行っても、情報読み出し手段３０２が読み出した情報記憶手段４０２が記憶している資産情報と、持出者が事前申請として事前申請用端末１０１に入力した持ち出し資産情報とが合致すると、所定の時間、資産である可能性がある物品を検出したことを報知する動作を停止するため、情報記憶手段４０２が付随している資産４０１を持ち出す持出者は、資産検出手段２０１が警報音を鳴動したり、ランプを点灯したりすることを停止している間に、資産４０１を持ち出すことができる。また、事前申請をせずに不正に資産を持ち出そうとすると、資産検出手段２０１が資産である可能性がある物品を検出して警報音を鳴動したりランプを点灯したりすることによって、資産である可能性がある物品を検出したことを報知する動作を継続するため、不正な資産の持ち出しを防止することができる。
【００５２】
なお、資産検出手段２０１は、資産である可能性がある物品を検出すると行う報知の動作を、予め決められた時間経過後に行ってもよい。すると、資産４０１の持出者が、情報読み出し手段３０２に情報記憶手段４０２が記憶している資産情報を読み出させる前に、資産検出手段２０１が資産４０１を検出しても、予め決められた時間内に資産４０１の持出者が情報読み出し手段３０２に情報記憶手段４０２が記憶している資産情報を読み出させ、資産持ち出し管理サーバ３０１が、情報読み出し手段３０２が情報記憶手段４０２から読み出した資産情報と、事前申請管理サーバ１０２から受信した持ち出し資産情報とが合致すると、資産４０１を持ち出す持出者は、資産検出手段２０１が警報音を鳴動したり、ランプを点灯したりすることなく資産４０１を持ち出すことができる。
【００５３】
実施の形態３．
本発明の第３の実施の形態について説明する。本発明の第３の実施の形態の構成は、本発明の第１の実施の形態および第２の実施の形態の構成と同様なため、各端末等に図１と同じ符号を付し説明を省略する。なお、本発明の第３の実施の形態は、第１の実施の形態または第２の実施の形態と組み合わせて実施するものである。
【００５４】
本発明の第３の実施の形態では、資産４０１の持出者は、例えば、社員番号等の自らを識別する情報である個人情報を記憶している個人情報記憶手段を所持している。個人情報記憶手段は、例えば、ＲＦＩＤタグや、バーコード（２次元バーコードを含む。）、非接触型ＩＣタグ等で実現され、情報記憶手段４０２と同種の形態であることが好ましい。そして、資産４０１の持出者は、第１の実施の形態または第２の実施の形態において、情報記憶手段４０２が記憶している資産情報を情報読み出し手段３０２に読み出させる際に、個人情報記憶手段が記憶している個人情報を情報読み出し手段３０２に読み出させる。具体的には、例えば、個人情報記憶手段がＲＦＩＤタグであって、情報読み出し手段３０２がＲＦＩＤリーダであった場合、持出者は、個人情報記憶手段を、情報読み出し手段３０２の読み出し可能距離まで近づける。すると、個人情報記憶手段は、情報読み出し手段３０２であるＲＦＩＤリーダが出力した電磁波によって発電し、記憶している個人情報を無線で出力する。情報読み出し手段３０２は、情報記憶手段４０２が出力した情報を受信して読み出す。すると、情報読み出し手段３０２は、個人情報記憶手段が記憶している資産４０１の持出者を識別する個人情報と、情報記憶手段４０２が記憶している資産情報とを読み出し、資産持ち出し管理サーバ３０１に出力する。資産持ち出し管理サーバ３０１は、情報読み出し手段３０２が個人情報記憶手段から読み出した資産４０１の持出者を識別する個人情報と、資産４０１に付随している情報記憶手段４０２が記憶している資産情報とを対応づけて記憶する。
【００５５】
なお、資産４０１の持出者は、個人情報記憶手段が記憶している個人情報を情報読み出し手段３０２に読み出させる代わりに、自らを識別する情報を資産持ち出し管理サーバ３０１に入力してもよい。
【００５６】
以上に述べたように、この実施の形態によれば、資産持ち出し管理サーバ３０１が、資産４０１の持出者を識別する情報である個人情報と、資産４０１に付随している情報記憶手段４０２が記憶している資産情報とを対応づけて記憶するため、資産の持出者と、持ち出された資産とを対応づけて管理することができる。すると、資産検出手段２０１の報知を無視して資産を持ち出す不正な持出者を特定することができる。また、正当に資産を持ち出しても資産を返却しない持出者を特定することが容易になる。
【００５７】
なお、上記の各実施の形態では、資産の持出者が資産４０１の持ち出しの事前申請を行った場合に限って、資産検出手段２０１による検出や報知を制限したが、事前申請がなされない場合でも、資産情報が持ち出し資産情報と合致するときには、資産検出手段２０１による検出や報知を制限してもよい。その場合には、資産が社外等に持ち出されることになるが、第３の実施の形態のように、資産４０１の持出者の個人情報と情報記憶手段４０２が記憶している資産情報とを併せて記憶するようにして、誰が資産を持ち出したのかを管理することができる。
【産業上の利用可能性】
【００５８】
本発明は、資産の不正な持ち出しを防止するシステムに適用することができる。
【図面の簡単な説明】
【００５９】
【図１】本発明の第１の実施の形態の一構成例を示す説明図である。
【図２】情報記憶手段が資産に付随する形態の例を示す説明図である。
【図３】本発明の第１の実施の形態の動作を説明するシーケンス図である。
【図４】本発明の第２の実施の形態の動作を説明するシーケンス図である。
【符号の説明】
【００６０】
１０１  事前申請用端末
１０２  事前申請管理サーバ
２０１  資産検出手段
３０１  資産持ち出し管理サーバ
３０２  情報読み出し手段
４０１  資産
４０２  情報記憶手段
５００  通信ネットワーク
【図１】
2006092431.tif 000003
【図２】
2006092431.tif 000004
【図３】
2006092431.tif 000005
【図４】
2006092431.tif 000006